(57)【要約】【課題】  人体に無害の温波を効率良く発生させる。【解決手段】  本発明に係る温波発生装置１は、直流電源２と、所定範囲の周波数の信号波を可変に出力可能な周波数発生装置３と、直流電源１から出力された直流電流が通過可能な一次コイル４と周波数発生装置３から出力された信号波が通過可能な二次コイル５とが対向して設けられたトランス６と、トランス６の一次コイル４を介して直流電源に接続される発熱体７とを備えており、発熱体７は、トランス６の一次コイル４を通過し、二次コイル５を通過する信号波により変調された直流電流により発熱可能なように構成されていることを特徴とする。【選択図】  図１
2006334265.tif 000002
【特許請求の範囲】
【請求項１】
直流電源と、所定範囲の周波数の信号波を可変に出力可能な周波数発生装置と、前記直流電源から出力された直流電流が通過可能な一次コイルと前記周波数発生装置から出力された信号波が通過可能な二次コイルとが対向して設けられたトランスと、該トランスの一次コイルを介して直流電源に接続される発熱体とを備えており、該発熱体は、前記トランスの一次コイルを通過し、前記二次コイルを通過する信号波により変調された直流電流により発熱可能なように構成されていることを特徴とする温波発生装置。
【請求項２】
前記トランスの一次コイル側は前記直流電源の陽極側に接続されている請求項１に記載の温波発生装置。
【請求項３】
前記発熱体は、ポリエステルフィルムの上面にニッケルインジウム酸化化合物を添加した塗料を塗布した面にポリエステルフィルムを積層被覆し、両端に電極を圧着接合して構成されている請求項１又は２に記載の温波発生装置。
【請求項４】
前記発熱体は帯状を成しており、複数の前記発熱体が所定間隔でクッションに平行に取り付けられている請求項３に記載の温波発生装置。
【請求項５】
前記周波数発生装置には、増幅器が設けられており、該増幅器にヘッドホンが接続されている請求項１〜４のいずれか１の請求項に記載の温波発生装置。
【発明の詳細な説明】
【技術分野】
【０００１】
本発明は、発熱体から遠赤外線の放射熱を発生させる温波発生装置に関する。
【背景技術】
【０００２】
従来、発熱体に通電することにより遠赤外線の放射熱（以下「温波」と言う。）を発生させ、この温波を人体の患部に照射させて治療を行う温波発生装置が知られている（公知・公用の従来技術に基づき発明したため、出願人は本発明に関連する先行技術文献を知らない）。
【発明の開示】
【発明が解決しようとする課題】
【０００３】
しかしながら、上記した従来の温波発生装置は、交流電源を使用しており、一般には、交流電源を使用するすべての機器からは人体に有害なレベルの電磁波が発生されると言われているため、従来の温波発生装置の発熱体からも人体に有害なレベルの電磁波が発生するおそれがあった。
【０００４】
そこで、この交流電源用の発熱体を陽極側と陰極側とが交互になるように配置し、直流電流により使用することも考えられるが、この場合には、陽極側が発熱し、陰極側が発熱しない特性があり、温度分布に大きな差異が生じるため、実用的ではないといった問題があった。
【０００５】
さらに、この温度分布の差異を補うため、比重の大きな発熱体を使用しようとすると、発熱体が目的の温度に到達するのに非常に時間が掛かるといった問題があった。
【０００６】
さらにまた、従来の温波発生装置では、患者の体調や基礎疾患に合わせて効率良く温波を発生させることができず、十分な治療効果を得ることができないといった問題もあった。
【０００７】
本発明は、上記した課題を解決すべく成されたものであり、人体に無害で、効率良く温波を発生させることができる温波発生装置を提供しようとするものである。
【課題を解決するための手段】
【０００８】
本発明に係る温波発生装置１は、直流電源２と、所定範囲の周波数の信号波を可変に出力可能な周波数発生装置３と、直流電源１から出力された直流電流が通過可能な一次コイル４と周波数発生装置３から出力された信号波が通過可能な二次コイル５とが対向して設けられたトランス６と、トランス６の一次コイル４を介して直流電源に接続される発熱体７とを備えており、発熱体７は、トランス６の一次コイル４を通過し、二次コイル５を通過する信号波により変調された直流電流により発熱可能なように構成されていることを特徴とする。
【０００９】
そして、トランス６の一次コイル４側は直流電源２の陽極側に接続されているのが好ましい。
【００１０】
また、発熱体７は、ポリエステルフィルムの上面にニッケルインジウム酸化化合物を添加した塗料を塗布した面にポリエステルフィルムを積層被覆し、両端に電極を圧着接合して構成されているのがよい。
【００１１】
さらに、発熱体７は帯状を成しており、複数の発熱体７が所定間隔でクッションに平行に取り付けられているのがよい。
【００１２】
さらにまた、周波数発生装置３には、増幅器８が設けられており、増幅器８にヘッドホン９が接続されているのがよい。
【発明の効果】
【００１３】
本発明によれば、直流電源を使用していると共に、周波数発生装置から所定範囲の周波数の信号波を可変に出力可能なため、人体に無害で、それぞれの患者の体調や基礎疾患等に合ったレベルの周波数の温波を効率良く発生させることができる。
【００１４】
また、変調された直流電流により発熱体から温波が発生され、その温波を患者の体内に取り入れることにより、患者の体内の血管が拡張されて血流が改善され、有効な治療効果を得ることができる。さらに、体内における酸化が中和され、新陳代謝の向上が図られ、老化症状を抑制することもできる等、種々の優れた効果を得ることができる。
【発明を実施するための最良の形態】
【００１５】
以下、図１〜図３を参照しつつ、本発明の実施の形態について説明する。ここで、図１は本発明の実施の形態に係る温波発生装置の概略構成を示す図、図２は温波発生装置の発熱体を組み込んだエステベッドの内部構造の一部分を示す斜視図、図３は温波発生装置の発熱体を組み込んだエステベッドを示す斜視図である。
【００１６】
図１に示されているように、本発明の実施の形態に係る温波発生装置１は、直流電源２と、所定範囲の周波数の信号波を可変に出力可能な周波数発生装置３と、直流電源２から出力された直流電流が通過可能な一次コイル４と周波数発生装置２から出力された信号波が通過可能な二次コイル５とが対向して設けられたトランス６と、トランス６の一次コイル４を介して直流電源２に接続される発熱体７とを主体に構成されている。
【００１７】
直流電源２には、発熱体７に対して、１２Ｖ以下の使用電圧で、６Ａ程度の電流を安全に供給可能なようにヒューズが設けられており、トランス６の一次コイル４側は直流電源２の陽極側に接続されているのが好ましい。
【００１８】
また、周波数発生装置３としては、予め録音された音楽のＣＤやＣＤ−ＲＯＭを再生可能なＣＤプレーヤ等の機器が使用されている。そして、周波数発生装置３には、所定範囲で発生周波数を可変可能なボリュームスイッチ（図示せず）が設けられていると共に電子楽器や周波数発信機等の各種音源が接続可能なジャック（図示せず）が設けられており、定格出力を２ｍＶ前後に設定することにより、このジャックを介して前記各種音源からの入力に切り替え可能となっている。また、周波数発生装置３には、増幅器８として、例えば、６〜１０ｗ程度を出力可能なオーディオ用アンプが設けられており、この増幅器８には、イヤホンジャック（図示せず）を介してヘッドホン９が接続可能となっている。
【００１９】
発熱体７としては、本発明の発明者の１人である張田正昭氏が発明し、特許出願中の線状・面状発熱体（特願２００３−１３７９６４号）を使用するのが好ましく、この発熱体７は、ポリエステルフィルムの上面にニッケルインジウム酸化化合物を添加した塗料を塗布した面にポリエステルフィルムを積層被覆し、両端に電極を圧着接合して構成されている。
【００２０】
図２に示されているように、この発熱体７は、帯状に形成され、塩ビ樹脂によりラミネートされており、厚さが４０ｍｍ程度のウレタン素材製の低反発クッション上に、断熱シート（アルミ紙）１０を介して、所定間隔で平行に貼付されている。そして、この低反発クッションの下には、特に図示しないが、構造用ベニア上に設けられた厚さが４０ｍｍ程度のチップ剤の高反発クッションが設けられている一方、低反発クッションの上には、厚さ１５ｍｍのスポンジクッションが設けられており、その上面及び側面は外装用ビニールレザー１１により覆われ、エステベッド１２が構成されている。
【００２１】
なお、本実施の形態の場合、発熱体７からは、３０秒間に６９種類の周波数の温波が合計で３４分３０秒間、発生するように設定されているが、発生する周波数の種類や時間については、患者の体調や基礎疾患に合わせて、各種変更が可能である。
【００２２】
次に、本発明の実施の形態に係る温波発生装置１の作用について説明する。
【００２３】
先ず、直流電源２のスイッチを入れ、トランス６の一次コイル４に直流電流を通過させ、発熱体７に通電させる。そして、ヘッドホン９を装着した患者がエステベッド１２に横たわった状態で、周波数発生装置３の前記ボリュームを操作し、周波数を所定レベルに設定すると、周波数発生装置３からは所定範囲内で変動する信号波が出力される。そして、この信号波は、増幅器８により増幅された後、トランス６の二次コイル５を通過し、二次コイル５を通過した信号波は一次コイル４を通過する直流電流を変調させ、発熱体７には変調された直流電流が通電される。その結果、発熱体７からは、患者に対して温波が照射され、患者の体内の血管が拡張されて血流が改善され、有効な治療効果を得ることができる。
【００２４】
一般に、人体には微弱な電位があり、人体内の各臓器は電位パルスで機能していると言われており、この電位伝達に支障が生じると疾患になる。また、人体は、生命を維持する過程において、酸化作用が蓄積されることにより、老化症状が現れるようになる。しかしながら、上記したように、変調された直流電流の通電により発熱体７から発生された温波を患者に照射させ、患者の体内に取り入れることにより、体内における酸化が中和され、新陳代謝の向上が図られ、老化症状を抑制することができる。
【００２５】
なお、上記した実施の形態では、音楽療法の効果を得るため、患者にヘッドホン９を装着させた状態で治療しているが、ヘッドホン９は、必ずしも、すべての場合において患者に装着させる必要はない。
【００２６】
また、発熱体７の形状や配置は、上記した場合に限定されるものではなく、各種変更が可能であり、さらに、発熱体７は、電気カーペットや電気マット等、エステベッド１２以外のものに組み込むことも可能であることは言う迄もない。
【図面の簡単な説明】
【００２７】
【図１】本発明の実施の形態に係る温波発生装置の概略構成を示す図である。
【図２】本発明の実施の形態に係る温波発生装置の発熱体を組み込んだエステベッドの内部構造の一部分を示す斜視図である。
【図３】本発明の実施の形態に係る温波発生装置の発熱体を組み込んだエステベッドを示す斜視図である。
【符号の説明】
【００２８】
１          温波発生装置
２          直流電源
３          周波数発生装置
４          一次コイル
５          二次コイル
６          トランス
７          発熱体
８          増幅器
９          ヘッドホン
【図１】
2006334265.tif 000003
【図２】
2006334265.tif 000004
【図３】
2006334265.tif 000005